(57)【要約】【課題】搬送路を搬送される記録媒体の両面の画像を読み取る記録媒体処理装置の搬送路を搬送される記録媒体の表裏の向きにかかわらず、記録媒体の両面の画像のそれぞれを、表面、又は、裏面のいずれかとして正しく記憶する。【解決手段】ホスト側制御部７３は、磁気ヘッド５４により検出された信号に基づいて搬送路を搬送される小切手の表裏の向きを検出し、検出した表裏の向きに基づいて、スキャナーにより読み取られた小切手の両面の画像のそれぞれについて、表面の画像として記憶するか、裏面の画像として記憶するか判別する。【選択図】図３
2011034168.tif 000002
【特許請求の範囲】
【請求項１】
磁気インク文字が記録された記録媒体の搬送路と、この搬送路を搬送される記録媒体の磁気インク文字を読み取る磁気インク文字読取部と、前記搬送路を搬送される記録媒体の両面の画像のそれぞれを光学的に読み取る画像読取部とを備える記録媒体処理装置に接続される制御装置であって、
前記画像読取部により読み取られた両面の画像を取得し、一方の面の画像を表面の画像として記憶し、他方の面の画像を裏面の画像として記憶する画像記憶部と、
前記磁気インク文字読取部により検出された信号を取得し、当該信号に基づいて前記搬送路を搬送される記録媒体の表裏の向きを検出することにより、前記画像読取部により読み取られた両面の画像のそれぞれについて、表面の画像として記憶するか、裏面の画像として記憶するかを判別する記憶画像判別部を備えることを特徴とする制御装置。
【請求項２】
前記記録媒体は、表面に磁気インク文字が記録されたシート状の媒体であり、
前記画像読取部は、表面が所定方向を向いた正状態で記憶媒体が前記搬送路を搬送される場合に、表面の読み取りが可能な位置に設けられた表面画像読取部と、裏面の読み取りが可能な位置に設けられた裏面画像読取部とを備え、
前記記憶画像判別部は、前記磁気インク文字読取部により検出された信号を取得し、当該信号に基づいて、前記搬送路を搬送される記録媒体が前記正状態か、又は、前記正状態の表裏が逆の状態である逆状態かを検出し、前記正状態の場合は、前記表面画像読取部により読み取られた画像を取得し表面の画像として記憶し、前記裏面画像読取部により読み取られた画像を取得し裏面の画像として記憶すると判別する一方、前記逆状態の場合は、前記表面画像読取部により読み取られた画像を取得し裏面の画像として記憶し、前記裏面画像読取部により読み取られた画像を取得し表面の画像として記憶すると判別することを特徴とする請求項１に記載の制御装置。
【請求項３】
前記磁気インク文字読取部は、前記正状態で前記搬送路を搬送される記録媒体の磁気インク文字の通過位置に設けられ、
前記記憶画像記判別部は、前記磁気インク文字読取部により検出された信号の波形を取得し当該信号の波形に基づいて、前記搬送路を搬送される記録媒体が前記正状態か、前記逆状態かを判別することを特徴とする請求項２に記載の制御装置。
【請求項４】
前記画像記憶部は、前記搬送路を搬送される記録媒体が前記逆状態の場合、前記表面画像読取部により読み取られた画像、及び、前記裏面画像読取部により読み取られた画像のそれぞれの配置を反転させた上で記憶することを特徴とする請求項２ないし３のいずれかに記載の制御装置。
【請求項５】
前記画像記憶部は、前記磁気インク文字読取部による磁気インク文字の読み取りが成功したと判定した場合に、記録媒体の両面の画像のそれぞれの記憶を行うことを特徴とする請求項１ないし４のいずれかに記載の制御装置。
【請求項６】
前記記録媒体処理装置は、記録媒体に対し所定の画像を記録する画像記録部をさらに備え、
前記磁気インク文字読取部により検出された信号を取得し当該信号に基づいて前記搬送路を搬送される記録媒体の表裏の向きを検出することにより、前記画像記録部によって画像が記録される位置を変更指示することを特徴とする請求項１ないし５のいずれかに記載の制御装置。
【請求項７】
磁気インク文字が記録された記録媒体の搬送路と、この搬送路を搬送される記録媒体の磁気インク文字を読み取る磁気インク文字読取部と、前記搬送路を搬送される記録媒体の両面の画像のそれぞれを光学的に読み取る画像読取部とを備える記録媒体処理装置を、当該記録媒体処理装置に接続される制御装置により制御する制御方法であって、
前記磁気インク文字読取部により検出された信号を取得し、当該信号に基づいて前記搬送路を搬送される記録媒体の表裏の向きを検出することにより、前記画像読取部により読み取られた両面の画像を取得し、当該両面の画像のそれぞれについて、表面の画像として記憶するか、裏面の画像として記憶するか判別し、この判別結果に応じて前記画像読取部により読み取られた両面の画像のうち、一方の面の画像を表面の画像として記憶し、他方の面の画像を裏面の画像として記憶する
ことを特徴とする記録媒体処理装置の制御方法。
【請求項８】
磁気インク文字が記録された記録媒体の搬送路と、この搬送路を搬送される記録媒体の磁気インク文字を読み取る磁気インク文字読取部と、前記搬送路を搬送される記録媒体の両面の画像のそれぞれを光学的に読み取る画像読取部とを備える記録媒体処理装置を、当該記録媒体処理装置に接続され制御するコンピューターにより実行されるプログラムであって、
前記コンピューターを
前記画像読取部により読み取られた両面の画像を取得し、一方の面の画像を表面の画像として記憶し、他方の面の画像を裏面の画像として記憶する画像記憶部と、
前記磁気インク文字読取部により検出された信号を取得し、当該信号に基づいて前記搬送路を搬送される記録媒体の表裏の向きを検出することにより、前記画像読取部により読み取られた両面の画像のそれぞれについて、表面の画像として記憶するか、裏面の画像として記憶するか判別する記憶画像判別部と、として機能させることを特徴とするプログラム。
【請求項９】
磁気インク文字が記録された記録媒体の搬送路と、この搬送路を搬送される記録媒体の磁気インク文字を読み取る磁気インク文字読取部と、前記搬送路を搬送される記録媒体の両面の画像のそれぞれを光学的に読み取る画像読取部とを備える記録媒体処理装置であって、
前記画像読取部により読み取られた両面の画像のうち、一方の面の画像を表面の画像として記憶し、他方の面の画像を裏面の画像として記憶する画像記憶部と、
前記磁気インク文字読取部により検出された信号に基づいて前記搬送路を搬送される記録媒体の表裏の向きを検出することにより、前記画像読取部により読み取られた両面の画像のそれぞれについて、表面の画像として記憶するか、裏面の画像として記憶するかを判別する記憶画像判別部を備えることを特徴とする記録媒体処理装置。
【発明の詳細な説明】
【技術分野】
【０００１】
本発明は、小切手等の記録媒体を処理する記録媒体処理装置を制御する制御装置、当該記録媒体処理装置の制御方法、及び、当該記録媒体処理装置を制御するためのプログラム、及び、記録媒体処理装置に関する。
【背景技術】
【０００２】
従来、小切手等の記録媒体上の磁気インク文字を読み取る磁気ヘッドと、記録媒体の両面の画像を読み取る画像読取センサーとを備え、搬送路を搬送される記録媒体の磁気インク文字を読み取ると共に、当該記録媒体の両面の画像を読み取る小切手類読取装置が知られている（例えば、特許文献１参照）。
この種の小切手類読取装置には、搬送路を搬送される記録媒体の表面を読み取るための画像読取センサーによって読み取られた画像を表面の画像として記憶すると共に、裏面を読み取るための画像読取センサーによって読み取られた画像を裏面の画像として記憶しておき、必要に応じて、表面の画像として記憶された画像、及び、裏面の画像として記憶された画像のいずれかを選択的に利用できるようにしたものがある。
【先行技術文献】
【特許文献】
【０００３】
【特許文献１】特開２００４−２０６３６２号公報
【発明の概要】
【発明が解決しようとする課題】
【０００４】
しかしながら、上述した小切手類読取装置では、搬送路を搬送される記録媒体の表裏の向きが逆の場合、記録媒体の表面の画像が表面の画像として記憶されず、かつ、裏面の画像が裏面の画像として記憶されないといった問題がある。
本発明は、上述した事情に鑑みてなされたものであり、搬送路を搬送される記録媒体の両面の画像を読み取る記録媒体処理装置の搬送路を搬送される記録媒体の表裏の向きにかかわらず、記録媒体の両面の画像のそれぞれを、表面、又は、裏面のいずれかとして正しく記憶することを目的とする。
【課題を解決するための手段】
【０００５】
上記目的を達成するために、本発明は、磁気インク文字が記録された記録媒体の搬送路と、この搬送路を搬送される記録媒体の磁気インク文字を読み取る磁気インク文字読取部と、前記搬送路を搬送される記録媒体の両面の画像のそれぞれを光学的に読み取る画像読取部とを備える記録媒体処理装置に接続される制御装置であって、前記画像読取部により読み取られた両面の画像を取得し、一方の面の画像を表面の画像として記憶し、他方の面の画像を裏面の画像として記憶する画像記憶部と、前記磁気インク文字読取部により検出された信号を取得し、当該信号に基づいて前記搬送路を搬送される記録媒体の表裏の向きを検出することにより、前記画像読取部により読み取られた両面の画像のそれぞれについて、表面の画像として記憶するか、裏面の画像として記憶するかを判別する記憶画像判別部を備えることを特徴とする。
この構成によれば、記録媒体の両面の画像のそれぞれについて、磁気インク文字読取部により検出された信号に基づいて記録媒体の表裏の向きを検出し、検出した記録媒体の表裏の向きに基づいて表面の画像として記憶するか裏面の画像として記憶するか判別した上で、これら画像を記憶する。このため、記録媒体の両面の画像のそれぞれを、搬送される記録媒体の表裏の向きに応じて、表面、又は、裏面のいずれかとして正しく記憶することができる。
【０００６】
ここで、上記発明の制御装置において、前記記録媒体は、表面に磁気インク文字が記録されたシート状の媒体であり、前記画像読取部は、表面が所定方向を向いた正状態で記憶媒体が前記搬送路を搬送される場合に、表面の読み取りが可能な位置に設けられた表面画像読取部と、裏面の読み取りが可能な位置に設けられた裏面画像読取部とを備え、前記記憶画像判別部は、前記磁気インク文字読取部により検出された信号を取得し、当該信号に基づいて、前記搬送路を搬送される記録媒体が前記正状態か、又は、前記正状態の表裏が逆の状態である逆状態かを検出し、前記正状態の場合は、前記表面画像読取部により読み取られた画像を取得し表面の画像として記憶し、前記裏面画像読取部により読み取られた画像を取得し裏面の画像として記憶すると判別する一方、前記逆状態の場合は、前記表面画像読取部により読み取られた画像を取得し裏面の画像として記憶し、前記裏面画像読取部により読み取られた画像を取得し表面の画像として記憶すると判別するようにしてもよい。
この構成によれば、正状態の場合、すなわち、表面画像読取部によって記録媒体の表面が読み取られ、裏面画像読取部によって記録媒体の裏面が読み取られる場合は、表面画像読取部によって読み取られた画像を表面の画像として記憶し、裏面画像読取部によって読み取られた画像を裏面の画像として記憶する。一方、逆状態の場合、すなわち、表面画像読取部によって記録媒体の裏面が読み取られ、裏面画像読取部によって記録媒体の表面が読み取られる場合は、表面画像読取部によって読み取られた画像を裏面の画像として記憶し、裏面画像読取部によって読み取られた画像を表面の画像として記憶する。このため、記録媒体が正状態、逆状態のいずれの状態にあっても、記録媒体の磁気インク文字が記録された側の面の画像を表面の画像として記憶し、その裏の面を裏面の画像として記憶することができる。
【０００７】
また、上記発明の制御装置において、前記磁気インク文字読取部は、前記正状態で前記搬送路を搬送される記録媒体の磁気インク文字の通過位置に設けられ、前記記憶画像記判別部は、前記磁気インク文字読取部により検出された信号の波形を取得し当該信号の波形に基づいて、前記搬送路を搬送される記録媒体が前記正状態か、前記逆状態かを判別するようにしてもよい。
この構成によれば、搬送路を搬送される記録媒体の表裏の向きによって、磁気インク文字読取部に検出される信号の形態が異なることを利用して、効率よく、記録媒体が正状態か逆状態かを判別することができる。
【０００８】
また、上記発明の制御装置において、前記画像記憶部は、前記搬送路を搬送される記録媒体が前記逆状態の場合、前記表面画像読取部により読み取られた画像、及び、前記裏面画像読取部により読み取られた画像のそれぞれの配置を反転させた上で記憶するようにしてもよい。
ここで、逆状態の場合、正状態で読み取られた画像と比較して、画像が逆から読み取られることとなる。これを踏まえ、上記構成によれば、逆状態の場合であっても、正状態で読み取られた場合と同様の状態で、記録媒体の両面の画像のそれぞれを記憶できる。
【０００９】
また、上記発明の制御装置において、前記画像記憶部は、前記磁気インク文字読取部による磁気インク文字の読み取りが成功したと判定した場合に、記録媒体の両面の画像のそれぞれの記憶を行うようにしてもよい。
この構成によれば、磁気インク文字の読み取りが成功し、磁気インク文字に基づく記録媒体の認識ができた場合に、記録媒体の両面の画像を記憶するため、磁気インク文字に基づく記録媒体の識別ができていないものについて画像が記録されることを防止できる。
【００１０】
また、上記発明の制御装置において、前記記録媒体処理装置は、記録媒体に対し所定の画像を記録する画像記録部をさらに備え、前記磁気インク文字読取部により検出された信号を取得し当該信号に基づいて前記搬送路を搬送される記録媒体の表裏の向きを検出することにより、前記画像記録部によって画像が記録される位置を変更指示するようにしてもよい。
この構成によれば、記録媒体の向きに応じた適切な位置に画像を記録することができる。
【００１１】
また、上記目的を達成するために、本発明は、記録媒体処理装置の制御方法において、磁気インク文字が記録された記録媒体の搬送路と、この搬送路を搬送される記録媒体の磁気インク文字を読み取る磁気インク文字読取部と、前記搬送路を搬送される記録媒体の両面の画像のそれぞれを光学的に読み取る画像読取部とを備える記録媒体処理装置を、当該記録媒体処理装置に接続される制御装置により制御する制御方法であって、前記磁気インク文字読取部により検出された信号を取得し、当該信号に基づいて前記搬送路を搬送される記録媒体の表裏の向きを検出することにより、前記画像読取部により読み取られた両面の画像を取得し、当該両面の画像のそれぞれについて、表面の画像として記憶するか、裏面の画像として記憶するか判別し、この判別結果に応じて前記画像読取部により読み取られた両面の画像のうち、一方の面の画像を表面の画像として記憶し、他方の面の画像を裏面の画像として記憶することを特徴とする。
この制御方法によれば、記録媒体の両面の画像のそれぞれについて、磁気インク文字読取部により検出された信号に基づいて記録媒体の表裏の向きを検出し、検出した記録媒体の表裏の向きに基づいて表面の画像として記憶するか裏面の画像として記憶するか判別した上で、これら画像を記憶する。このため、記録媒体の両面の画像のそれぞれを、搬送される記録媒体の表裏の向きに応じて、表面、又は、裏面のいずれかとして正しく記憶することができる。
【００１２】
また、上記目的を達成するために、本発明は、磁気インク文字が記録された記録媒体の搬送路と、この搬送路を搬送される記録媒体の磁気インク文字を読み取る磁気インク文字読取部と、前記搬送路を搬送される記録媒体の両面の画像のそれぞれを光学的に読み取る画像読取部とを備える記録媒体処理装置を、当該記録媒体処理装置に接続され制御するコンピューターにより実行されるプログラムであって、前記コンピューターを前記画像読取部により読み取られた両面の画像を取得し、一方の面の画像を表面の画像として記憶し、他方の面の画像を裏面の画像として記憶する画像記憶部と、前記磁気インク文字読取部により検出された信号を取得し、当該信号に基づいて前記搬送路を搬送される記録媒体の表裏の向きを検出することにより、前記画像読取部により読み取られた両面の画像のそれぞれについて、表面の画像として記憶するか、裏面の画像として記憶するか判別する記憶画像判別部と、として機能させることを特徴とする。
このプログラムを実行することにより、記録媒体の両面の画像のそれぞれについて、磁気インク文字読取部により検出された信号に基づいて記録媒体の表裏の向きを検出し、検出した記録媒体の表裏の向きに基づいて表面の画像として記憶するか裏面の画像として記憶するか判別した上で、これら画像を記憶する。このため、記録媒体の両面の画像のそれぞれを、搬送される記録媒体の表裏の向きに応じて、表面、又は、裏面のいずれかとして正しく記憶することができる。
【００１３】
また、上記目的を達成するために、本発明の記録媒体処理装置は、磁気インク文字が記録された記録媒体の搬送路と、この搬送路を搬送される記録媒体の磁気インク文字を読み取る磁気インク文字読取部と、前記搬送路を搬送される記録媒体の両面の画像のそれぞれを光学的に読み取る画像読取部とを備える記録媒体処理装置であって、前記画像読取部により読み取られた両面の画像のうち、一方の面の画像を表面の画像として記憶し、他方の面の画像を裏面の画像として記憶する画像記憶部と、前記磁気インク文字読取部により検出された信号に基づいて前記搬送路を搬送される記録媒体の表裏の向きを検出することにより、前記画像読取部により読み取られた両面の画像のそれぞれについて、表面の画像として記憶するか、裏面の画像として記憶するかを判別する記憶画像判別部を備えることを特徴とする。
この構成によれば、記録媒体処理装置側でも、記録媒体の両面の画像のそれぞれについて、磁気インク文字読取部により検出された信号に基づいて記録媒体の表裏の向きを検出し、検出した記録媒体の表裏の向きに基づいて表面の画像として記憶するか裏面の画像として記憶するか判別した上で、これら画像を記憶する。このため、記録媒体の両面の画像のそれぞれを、搬送される記録媒体の表裏の向きに応じて、表面、又は、裏面のいずれかとして正しく記憶することができる。
【発明の効果】
【００１４】
本発明によれば、搬送路を搬送される記録媒体の両面の画像を読み取る記録媒体処理装置について、搬送路を搬送される記録媒体の表裏の向きにかかわらず、記録媒体の両面の画像のそれぞれを、表面、又は、裏面のいずれかとして正しく記憶できる。
【図面の簡単な説明】
【００１５】
【図１】小切手読取装置の外観斜視図である。
【図２】小切手読取装置の内部構造を示す説明図である。
【図３】小切手読取装置及びホストコンピューターの制御系を示すブロック図。
【図４】磁気ヘッドの検出信号波形の例を示す信号波形図である。
【図５】小切手画像データベースの構成を模式的に示す図である。
【図６】小切手読取装置の動作を示すフローチャートである。
【図７】ホストコンピューターの動作を示すフローチャートである。
【発明を実施するための形態】
【００１６】
以下、図面を参照して本発明の実施形態について説明する。
図１は、本実施の形態に係る小切手読取装置１（記録媒体処理装置）の外観斜視図である。
小切手読取装置１は、シート状の記録媒体である小切手４に対し、小切手４に記録された磁気インク文字列４Ａの読み取りや、小切手４の両面の画像の読み取り、小切手４に対する裏書きに係る所定の画像の記録等の処理を行う装置である。
小切手読取装置１は、本体ケース２と、この上側に被せた蓋ケース３とを備えており、この内部に各部品が組み込まれた構成となっている。蓋ケース３には、上から見た場合にＵ形状をした細幅の垂直溝からなる小切手４の搬送路５が形成されており、この搬送路５の一方の端は広幅の垂直溝からなる小切手供給部６に連通しており、搬送路５の他方の端は左右に分岐して、それぞれ広幅の垂直溝からなる第１小切手排出部７及び第２小切手排出部８に繋がっている。
【００１７】
小切手４の表面４ａには、所定の模様の背景に、金額、振出人、番号、サインなどが記載されており、その下端部分には、図１に示すように、長辺方向に延びる磁気インク文字列４Ａが記録されている。
また、小切手４の裏面４ｂには、裏書き欄が形成されている。この裏書き欄に、後述する正状態用記録装置５６（画像記録部）又は逆状態用記録装置５７（画像記録部）によって、裏書きに係る所定の画像が記録される。
小切手４は、上端４ｅが上方に位置し下端４ｆが下方に位置するように上下方向が揃えられ、かつ、表面４ａがＵ形状の搬送路５の外側を向くように表裏が揃えられた状態（図１に示す状態）で、小切手供給部６に挿入されることが想定されている。この場合、小切手４は後端４ｄの側から搬送路５に送り出されることとなる。
以下の説明において、上端４ｅが上方に位置し下端４ｆが下方に位置するように上下方向が揃えられ、かつ、表面４ａがＵ形状の搬送路５の外側を向くように表裏が揃えられた状態で搬送路５を搬送される小切手４の状態を「正状態」と表現するものとする。一方、上端４ｅが上方に位置し下端４ｆが下方に位置するように上下方向が揃えられ、かつ、裏面４ｂが搬送路５の外側を向くように表裏が揃えられた状態で搬送路５を搬送される小切手４の状態を「逆状態」と表現するものとする。上述したように、本実施形態では、小切手４は、正状態で搬送路５を搬送されることが想定されているが、小切手供給部６に小切手４を挿入するユーザーの入れ間違い等に起因して、逆状態で小切手４が搬送路５を搬送される場合もある。
【００１８】
小切手供給部６から送り出された小切手４は、搬送路５に沿って搬送されながら、表面４ａの画像である表面画像、及び、裏面４ｂの画像である裏面画像が読み取られ、さらに、表面４ａに記録されている磁気インク文字列４Ａが読み取られる。そして、磁気インク文字列４Ａが正常に読み取られた小切手４については、裏書きに係る所定の画像の記録が行われた後に、第１小切手排出部７に排出される。一方、読み取りが失敗した小切手４については、裏書きに係る所定の画像が記録されることなく、第２小切手排出部８に排出される。第２小切手排出部８に排出された小切手４は、読み取りが失敗した原因の究明や、再読み取り等の処理が行われる。
【００１９】
図２は小切手読取装置１の内部構造を示す説明図である。小切手供給部６には、小切手４を搬送路５に送り出すための小切手送り出し機構１０が配置されている。小切手送り出し機構１０は、繰り出しローラー１１、送り出しローラー１２、この送り出しローラー１２に押し付けられているリタードローラー１３、送り出し用モーター１４、及び小切手押し付け用のホッパー１５を備えている。送り出し用モーター１４が駆動すると、小切手供給部６に入れた小切手４がホッパー１５によって繰り出しローラー１１の側に押し付けられ、この状態で、繰り出しローラー１１及び送り出しローラー１２が同期回転する。繰り出しローラー１１によって小切手４は送り出しローラー１２とリタードローラー１３の間に送り込まれる。リタードローラー１３には所定の回転負荷が与えられており、送り出しローラー１２に直接に接触している一枚の小切手４のみが他の小切手４から分離されて搬送路５に送り出される。
搬送路５は上述したようにＵ形状をしており、小切手供給部６に繋がっている直線状の上流側搬送路部分２１と、第１、第２小切手排出部８、８に繋がっている僅かに折れ曲がった状態で延びている下流側搬送路部分２３と、これらの間を繋ぐ湾曲搬送路部分２２とを備えている。
【００２０】
小切手供給部６から搬送路５に送り出された小切手４を当該搬送路５に沿って搬送する小切手搬送機構３０は、第１搬送ローラー３１〜第６搬送ローラー３６と、これらに押し付けられて連れ回りする第１〜第６押圧ローラー４１〜４６と、第１搬送ローラー３１〜第６搬送ローラー３６を回転駆動するための搬送用モーター３７とを備えている。第１搬送ローラー３１〜第６搬送ローラー３６は同期して回転するようになっている。搬送用モーター３７として、例えばステッピングモーターが用いられている。このため、ステッピングモーターを駆動するステップ数により、小切手４の搬送量を知ることができる。
第１搬送ローラー３１〜第３搬送ローラー３３は、上流側搬送路部分２１における上流端、その中程の位置、及び湾曲搬送路部分２２との境界位置にそれぞれ配置されている。第４搬送ローラー３４は湾曲搬送路部分２２における下流側の位置に配置されている。第５搬送ローラー３５及び第６搬送ローラー３６は、下流側搬送路部分２３における中程の位置及び下流端にそれぞれ配置されている。
【００２１】
上流側搬送路部分２１における第１搬送ローラー３１及び第２搬送ローラー３２の間には、その上流側から磁気インク文字着磁用の磁石５１、表面側コンタクトイメージスキャナー５２（表面画像読取部）、裏面側コンタクトイメージスキャナー５３（裏面画像読取部）が配置されている。表面側コンタクトイメージスキャナー５２は、小切手４が正状態で搬送路５を搬送される場合において、表面４ａに対向し、表面４ａの画像である表面画像を読み取る装置である。従って、小切手４が逆状態で搬送路５を搬送される場合、表面側コンタクトイメージスキャナー５２は、裏面４ｂに対向し、裏面４ｂの画像である裏面画像を読み取ることとなる。一方、裏面側コンタクトイメージスキャナー５３は、小切手４が正状態で搬送路５を搬送される場合において、裏面４ｂに対向し、裏面４ｂの画像である裏面画像を読み取る装置である。従って、小切手４が逆状態で搬送路５を搬送される場合、裏面側コンタクトイメージスキャナー５３は、表面４ａに対向し、表面画像を読み取ることとなる。
【００２２】
また、第２搬送ローラー３２及び第３搬送ローラー３３の間には、磁気インク文字読取用の磁気ヘッド５４（磁気インク文字読取部）が配置されており、磁気ヘッド５４には、当該ヘッドに小切手４を押し付けるための押圧ローラー５５が対峙している。
下流側搬送路部分２３における第５搬送ローラー３５及び第６搬送ローラー３６の間には、裏書きに係る所定の画像の記録用の正状態用記録装置５６、及び、逆状態用記録装置５７が配置されている。
本実施形態では、裏書きは、必ず、小切手４の裏面４ｂに対して行われる。そして、正状態用記録装置５６は、小切手４が正状態で搬送路５を搬送される場合において、裏面４ｂに対向し、裏面４ｂに対し裏書きに係る所定の画像を記録する。正状態用記録装置５６は、正状態で搬送路５を搬送される小切手４の裏面４ｂの適切な位置に、適切な方向で所定の画像を記録可能な、印刷ヘッドやスタンプなどを備えている。
一方、逆状態用記録装置５７は、小切手４が逆状態で搬送路５を搬送される場合において、裏面４ｂに対向し、裏面４ｂに対し裏書きに係る所定の画像を記録する。逆状態用記録装置５７は、逆状態で搬送路５を搬送される小切手４の裏面４ｂの適切な位置に、適切な方向で所定の画像を記録可能な、印刷ヘッドやスタンプなどを備えている。
【００２３】
搬送路５には、小切手搬送制御のための各種センサーが配置されている。磁石５１の手前側の位置には、送り出される小切手４の長さを検出するための用紙長検出器６１が配置されている。裏面側コンタクトイメージスキャナー５３と第２搬送ローラー３２の間には、小切手４が重なった状態で搬送されていることを検出するための重送検出器６２が配置されている。第４搬送ローラー３４の手前側の位置にはジャム検出器６３が配置されており、この検出器によって所定時間以上に亘って継続して小切手４が検出されている場合には、搬送路５に小切手４が詰まった紙詰まり状態になったことが分かる。第５搬送ローラー３５の手間側の位置には、記録装置によって裏書きされる小切手４の有無を検出するための印刷検出器６４が配置されている。さらに、第６搬送ローラー３６の下流側の位置、すなわち、搬送路５から第１小切手排出部７、第２小切手排出部８に分岐している分岐路９の位置には、これらに排出される小切手４を検出するための排出検出器６５が配置されている。この分岐路９には、不図示の駆動モーターによって切り替え操作される切り替え板６６が配置されている。切り替え板６６は、第１小切手排出部７、第２小切手排出部８に対して、搬送路５の下流端を選択的に切り替え、小切手４を選択された排出部に導くための部材である。
【００２４】
図３は小切手読取装置１の制御系を示す概略ブロック図である。
小切手読取装置１は、ＣＰＵ、ＲＯＭ、ＲＡＭ等を備えて構成された制御部７１を備えている。
制御部７１は、後述するホスト側制御部７３から小切手４の読み取りに係る処理の開始指示を受け取ると、小切手送り出し用モーター１４、搬送用モーター３７を駆動して小切手４を一枚ずつ搬送路５に送り出させ、送り出された小切手４を搬送路５に沿って搬送させる。制御部７１による小切手４の搬送制御は、搬送路５に配置されている用紙長検出器６１、重送検出器６２、ジャム検出器６３、印刷検出器６４及び排出検出器６５からの検出信号に基づいて行われる。
小切手４の搬送に伴って、表面側コンタクトイメージスキャナー５２、及び、裏面側コンタクトイメージスキャナー５３は、これらスキャナーのそれぞれが読み取った小切手４の両面の画像を示すデータを制御部７１に出力する。また、磁気ヘッド５４は、通過する磁気インク文字列４Ａによって形成される磁界の変化によって発生する起電力を検出信号として信号処理回路７４に出力する。信号処理回路７４は、入力された検出信号を、増幅し波形整形しデジタル信号に変換した上で、制御部７１に出力する。そして、制御部７１は、これら画像を示すデータ、及び、検出信号を示すデータを後述するホストコンピューター７０のホスト側制御部７３に送信する。
なお、制御部７１には、本体ケース２に形成された電源スイッチなどの操作スイッチを含む操作部７５が接続されている。
【００２５】
小切手読取装置１には、通信ケーブル７２を介してホストコンピューター７０が接続されている。
ホストコンピューター７０は、ＣＰＵ、ＲＯＭ、ＲＡＭ等を備えて構成されたホスト側制御部７３を備えている。このホスト側制御部７３には、各種情報を表示可能な表示器７３ａと、キーボード、マウス等の入力デバイスが接続された操作部７３ｂと、が接続されている。
また、ホスト側制御部７３には、ハードディスクや、ＥＥＰＲＯＭ等の書き換え可能に各種データを記憶する記憶部８１が接続されている。記憶部８１には、小切手画像データベース８２が記憶されている。小切手画像データベース８２については、後述する。
本実施形態では、ホストコンピューター７０のホスト側制御部７３の制御の下、小切手読取装置１の制御部７１が小切手読取装置１の各部を制御する。具体的には、ホスト側制御部７３は、そのＣＰＵがＲＯＭに記憶されたプログラムを実行し、制御部７１に対して制御データを送信することにより、制御部７１を制御する。従って、ホストコンピューター７０は、小切手読取装置１を制御する制御装置として機能する。
【００２６】
ホストコンピューター７０のホスト側制御部７３は、表文字認識部７６と、裏文字認識部７７と、正逆判別部８３と、を備えている。
表文字認識部７６は、小切手読取装置１から受信した検出信号を示すデータに基づいて、磁気ヘッド５４により検出された検出信号を、磁気インク文字の検出信号波形に対応するデジタルパターンを示す表文字信号パターン７９と照合し、検出信号をパターン認識する。
裏文字認識部７７は、検出信号を、磁気ヘッド５４によって小切手４の磁気インク文字を裏面４ｂ側から読み取った場合に得られる検出信号波形に対応するデジタルパターンを示す裏文字信号パターン８０と照合し、検出信号をパターン認識する。このように、本実施形態では、裏文字信号パターン８０を利用して検出信号の照合を行うため、小切手４が逆状態で搬送路５を搬送され、磁気ヘッド５４に対し小切手４の裏面４ｂが対向するような状態であっても、裏文字認識部７７による磁気インク文字の読み取りが可能である。
正逆判別部８３は、検出信号に基づいて、搬送路５を搬送される小切手４が正状態にあるか、逆状態にあるかを判別する。具体的には、表文字信号パターン７９を利用した表文字認識部７６によるパターン認識が可能であれば正状態であると判別し、裏文字信号パターン８０を利用した裏文字認識部７７によるパターン認識が可能であれば逆状態であると判別する。
なお、これら表文字認識部７６、裏文字認識部７７、及び、正逆判別部８３を小切手読取装置１の制御部７１が備えるようにしてもよい。
【００２７】
図４は、磁気ヘッド５４が表面４ａと対向した状態で、磁気ヘッド５４により磁気インク文字列４Ａの読み取りを行った場合における、磁気ヘッド５４の検出信号の波形を磁気インク文字と対応させて示す信号波形図である。公知のように、磁気ヘッド５４からは、その読取位置を所定の速度で通過する小切手４の磁気インク文字列４Ａに含まれている各磁気インク文字に応じた特有の検出信号波形が出力される。これらの検出信号波形に対応するデジタルデータパターンを表文字信号パターン７９として予め記憶しておき、磁気ヘッド５４によって実際に検出された検出信号波形のデジタルデータを表文字信号パターン７９と照合することにより文字認識を行うことができる。
同様に、裏面４ｂが磁気ヘッド５４と対向している状態で、磁気ヘッド５４により磁気インク文字列４Ａの読み取りを行った場合、磁気ヘッド５４からは、磁気インク文字列４Ａに含まれている各磁気インク文字に応じた特有の検出信号波形が出力される。これらの検出信号波形に対応するデジタル出たパターンを裏文字信号パターン８０として予め記憶しておき、磁気ヘッド５４によって実際に検出された検出信号波形のデジタルデータを裏文字信号パターン８０と照合することにより、裏面４ｂが磁気ヘッド５４と対向している状態、すなわち、小切手４が逆状態であっても磁気インク文字の認識を行うことができる。
【００２８】
次いで、小切手画像データベース８２について説明する。
図５は、小切手画像データベース８２の構成を模式的に示す図である。
小切手画像データベース８２は、小切手読取装置１によって読み取られた小切手４の表面４ａの表面画像を表面の画像として記憶すると共に、裏面４ｂの裏面画像を裏面の画像として記憶するデータベースである。
上述したように、正状態で搬送路５を搬送される小切手４は、表面側コンタクトイメージスキャナー５２によって表面４ａの表面画像が読み取られ、裏面側コンタクトイメージスキャナー５３によって裏面４ｂの裏面画像が読み取られる。そして、読み取られた表面４ａの表面画像、裏面４ｂの裏面画像のそれぞれを示すデータは、ホストコンピューター７０に送信され、所定の画像処理が施された上で、画像データとして記憶部８１の小切手画像データベース８２に記憶される。
図３に示すように、小切手画像データベース８２は、識別番号フィールド８２ａと、磁気インク文字情報フィールド８２ｂと、表面画像フィールド８２ｃと、裏面画像フィールド８２ｄとを備えている。
識別番号フィールド８２ａには、小切手４のそれぞれについて一意に付与された識別番号を示す識別番号データが記憶される。
磁気インク文字情報フィールド８２ｂは、磁気ヘッド５４によって読み取られた磁気インク文字を示す磁気インク文字情報データが記憶される。
表面画像フィールド８２ｃには、小切手４の表面４ａの表面画像に係る画像データが記憶される。換言すれば、表面画像フィールド８２ｃに記憶されている画像データは、表面の画像として記憶されている画像データである。
裏面画像フィールド８２ｄには、小切手４の裏面４ｂの裏面画像に係る画像データが記憶される。換言すれば、裏面画像フィールド８２ｄに記憶されている画像データは、裏面の画像として記憶されている画像データである。
【００２９】
表面４ａの画像データ及び裏面４ｂの画像データのそれぞれは、小切手４自体と同等の価値を持つものとして小切手画像データベース８２に記憶される。そして、例えば、表示器７３ａに小切手４の表面４ａの画像を表示する必要がある場合は、表面画像フィールド８２ｃに記憶された画像データに基づいて表示器７３ａに表面４ａの画像が表示され、裏面４ｂに係る画像を表示する必要がある場合は、裏面画像フィールド８２ｄに記憶された画像データに基づいて、表示器７３ａに裏面４ｂの画像が表示される。このように、表面として記憶されている画像データ、裏面として記憶されている画像データのそれぞれが選択的に利用されるため、表面画像フィールド８２ｃには小切手４の表面４ａの画像データが確実に記憶され、かつ、裏面画像フィールド８２ｄには小切手４の裏面４ｂの画像データが確実に記憶されている必要がある。
【００３０】
ところで、上述したように、小切手読取装置１においては、正状態で小切手４が搬送路５を搬送されることが想定されているが、小切手供給部６に小切手４を挿入する際の入れ間違い等に起因して、逆状態で小切手４が搬送路５を搬送されることがある。この場合、表面側コンタクトイメージスキャナー５２によって裏面４ｂの画像が読み取られ、裏面側コンタクトイメージスキャナー５３によって表面４ａの画像が読み取られることとなる。このため、表面側コンタクトイメージスキャナー５２によって読み取られた画像を表面画像フィールド８２ｃに記憶し、裏面側コンタクトイメージスキャナー５３によって読み取られた画像を裏面画像フィールド８２ｄに記憶するようにした場合、表面画像フィールド８２ｃに裏面４ｂの画像データが記憶され、裏面画像フィールド８２ｄに表面４ａの画像データが記憶されることとなってしまう。これを踏まえ、本実施形態に係る小切手読取装置１は、以下の動作を行うことにより、小切手４が正状態で搬送されるか、逆状態で搬送されるかにかかわらず、表面４ａの画像データを表面画像フィールド８２ｃに記憶し、裏面４ｂの画像データを裏面画像フィールド８２ｄに記憶するようになっている。
【００３１】
図６は、小切手読取装置１の動作を示すフローチャートであり、図７は、ホストコンピューター７０の動作を示すフローチャートである。図５において（Ａ）は小切手読取装置１の動作を示し、（Ｂ）はホストコンピューター７０の動作を示している。なお、図５のフローチャートに示す動作中、ホストコンピューター７０のホスト側制御部７３は、表面側コンタクトイメージスキャナー５２及び裏面側コンタクトイメージスキャナー５３によって読み取られた小切手４の両面の画像を記憶する画像記憶部として機能する。また、ホスト側制御部７３は、搬送路５を搬送される小切手４の向きを検出し、検出した向きに基づいて、表面側コンタクトイメージスキャナー５２及び裏面側コンタクトイメージスキャナー５３により読み取られた小切手４の両面の画像のそれぞれについて、表面画像フィールド８２ｃに記憶するか、裏面画像フィールド８２ｄに記憶するかを判別する記憶画像判別部として機能する。
【００３２】
まず、図７を参照して、ホストコンピューター７０のホスト側制御部７３は、小切手４の読み取りに係る一連の処理の開始を指示するデータを小切手読取装置１に送信する（ステップＳＢ１）。
次いで、図６を参照して、小切手読取装置１の制御部７１は、ホストコンピューター７０から処理の開始を指示するデータを受信したか否かを監視し（ステップＳＡ１）、当該データを受信した場合（ステップＳＡ１：ＹＥＳ）、小切手送り出し機構１０及び小切手搬送機構３０を制御して、小切手供給部６に挿入された小切手４を一枚ずつ送り出し（ステップＳＡ２）、搬送路５に沿って搬送させる（ステップＳＡ３）。ここで、搬送される小切手４の先頭位置は、用紙長検出器６１によって小切手４の先頭が検出された時点からの搬送用モーター３７のステップ数により管理される。
【００３３】
小切手４の搬送に伴い、表面側コンタクトイメージスキャナー５２及び裏面側コンタクトイメージスキャナー５３によって小切手４の両面の画像が読み取られると共に、磁気ヘッド５４によって小切手４に記録された磁気インク文字が読み取られ（ステップＳＡ４）、読み取られた画像を示すデータ、及び、磁気ヘッド５４が検出した信号を示すデータが、通信ケーブル７２を介してホストコンピューター７０に送信される（ステップＳＡ５）。次いで、制御部７１は、小切手搬送機構３０を制御して、小切手４の搬送を一時停止する。
【００３４】
次いで図７を参照して、ホストコンピューター７０のホスト側制御部７３は、ステップＳＡ５において小切手読取装置１が送信したデータを受信したか否かを監視する（ステップＳＢ２）。データを受信した場合（ステップＳＢ２：ＹＥＳ）、ホスト側制御部７３は、磁気ヘッド５４の検出信号を示すデータの分析を開始する（ステップＳＢ３）。この分析において、ホスト側制御部７３は、表文字認識部７６又は裏文字認識部７７による磁気インク文字の認識や、上述した正逆判別部８３による正状態、逆状態の判別を行う。
次いで、ホスト側制御部７３は、磁気インク文字の読み取りに成功、すなわち、磁気インク文字のすべての文字の認識に成功したか否かを判別する（ステップＳＢ４）。磁気インク文字の読み取りに失敗した場合（ステップＳＢ４：ＮＯ）、ホスト側制御部７３は、読み取りに失敗した旨を示すデータを小切手読取装置１に送信する（ステップＳＢ５）。
【００３５】
一方、磁気インク文字の読み取りに成功した場合（ステップＳＢ４：ＹＥＳ）、ホスト側制御部７３は、小切手４が正状態か否かを判別する（ステップＳＢ６）。小切手４が正状態の場合（ステップＳＢ６：ＹＥＳ）、ホスト側制御部７３は、読み取った磁気インク文字を示す磁気インク文字情報データを生成し、磁気インク文字情報フィールド８２ｂに記憶する（ステップＳＢ７）。さらに、ホスト側制御部７３は、表面側コンタクトイメージスキャナー５２によって読み取られた画像、すなわち、正状態で搬送される小切手４の表面４ａの表面画像の画像データを表面画像フィールド８２ｃに記憶し、裏面側コンタクトイメージスキャナー５３によって読み取られた画像、すなわち、正状態で搬送される小切手４の裏面４ｂの裏面画像の画像データを裏面画像フィールド８２ｄに記憶する（ステップＳＢ８）。次いで、ホスト側制御部７３は、磁気インク文字の読み取りに成功した旨、及び、搬送路５を搬送される小切手４が正状態である旨を示すデータを小切手読取装置１に送信する（ステップＳＢ５）。
【００３６】
ステップＳＢ６において、小切手４が逆状態の場合（ステップＳＢ６：ＮＯ）、ホスト側制御部７３は、読み取った磁気インク文字を示す磁気インク文字情報データを生成し、磁気インク文字情報フィールド８２ｂに記憶する（ステップＳＢ９）。さらに、ホスト側制御部７３は、裏面側コンタクトイメージスキャナー５３によって読み取られた画像、すなわち、逆状態で搬送される小切手４の表面４ａの表面画像の画像データを表面画像フィールド８２ｃに記憶し、表面側コンタクトイメージスキャナー５２によって読み取られた画像、すなわち、逆状態で搬送される小切手４の裏面４ｂの裏面画像の画像データを裏面画像フィールド８２ｄに記憶する（ステップＳＢ１０）。その際、ホスト側制御部７３は、それぞれの画像について、正状態で読み取られた場合と同様の状態となるように反転させた上で、記憶する。これにより、それぞれの画像について、正状態で読み取られた場合と同様の状態で記憶されることとなり、これら画像データに基づいて、表示器７３ａに画像を表示する際に、正状態で読み取られた場合と比較して反転している状態で画像が表示されることを防止できる。次いで、ホスト側制御部７３は、磁気インク文字の読み取りに成功した旨、及び、搬送路５を搬送される小切手４が逆状態である旨を示すデータを小切手読取装置１に送信する（ステップＳＢ５）。
なお、ステップＳＢ４〜ＳＢ１０の一連の処理に示すように、本実施形態では、磁気インク文字の読み取りに成功した場合にのみ、画像データが記憶されることとなる。これにより、磁気インク文字の読み取りが失敗し、磁気インク文字の認識ができてない小切手４に係る画像データが記憶されることが防止される。
【００３７】
次いで図６を参照して、小切手読取装置１の制御部７１は、ステップＳＢ５においてホストコンピューター７０が送信したデータを受信したか否かを監視する（ステップＳＡ７）。データを受信した場合（ステップＳＡ７：ＹＥＳ）、制御部７１は、データの内容に基づいて、磁気インク文字の読み取りが成功したか否かを判別する（ステップＳＡ８）。読み取りに失敗している場合（ステップＳＡ８：ＮＯ）、制御部７１は、小切手搬送機構３０を制御して、小切手４の搬送を再開する（ステップＳＡ９）。次いで、制御部７１は、正状態用記録装置５６及び逆状態用記録装置５７による画像の記録を行うことなく、切り替え板６６を第２小切手排出部８の側に小切手４が排出されるように切り替え（ステップＳＡ１０）、第２小切手排出部８に小切手４を排出し（ステップＳＡ１１）、処理手順をステップＳＡ２１に移行する。
【００３８】
ステップＳＡ８において、磁気インク文字の読み取りが成功している場合（ステップＳＡ８：ＹＥＳ）、制御部７１は、受信したデータの内容に基づいて、搬送路５を搬送される小切手４が正状態か否かを判別する（ステップＳＡ１２）。正状態の場合（ステップＳＡ１２：ＹＥＳ）、制御部７１は、小切手搬送機構３０を制御して、小切手４の搬送を再開する（ステップＳＡ１３）。次いで、制御部７１は、正状態用記録装置５６を制御して、この正状態用記録装置５６によって、小切手４の裏面４ｂに対して所定の画像を記録する（ステップＳＡ１４）。上述したように、小切手４が正状態の場合、正状態用記録装置５６を利用して所定の画像を記録することにより、小切手４の裏面４ｂの適切な位置に確実に所定の画像を記録することができる。
次いで、制御部７１は、切り替え板６６を第１小切手排出部７に小切手４が排出されるように切り替え（ステップＳＡ１５）、第１小切手排出部７に小切手４を排出し（ステップＳＡ１６）、処理手順をステップＳＡ２１に移行する。
【００３９】
ステップＳＡ１２において、逆状態の場合（ステップＳＡ１２：ＮＯ）、制御部７１は、小切手搬送機構３０を制御して、小切手４の搬送を再開する（ステップＳＡ１７）。次いで、制御部７１は、逆状態用記録装置５７を制御して、この逆状態用記録装置５７によって、小切手４の裏面４ｂに対して所定の画像を記録する（ステップＳＡ１８）。上述したように、小切手４が逆状態の場合、逆状態用記録装置５７を利用して所定の画像を記録することにより、小切手４の裏面４ｂの適切な位置に確実に所定の画像を記録することができる。次いで、制御部７１は、切り替え板６６を第１小切手排出部７に小切手４が排出されるように切り替え（ステップＳＡ１９）、第１小切手排出部７に小切手４を排出し（ステップＳＡ２０）、処理手順をステップＳＡ２１に移行する。
ステップＳＡ２１において、制御部７１は、排出検出器６５によって小切手４の後端４ｄが検出されたか否かを検出することによって第１小切手排出部７又は第２小切手排出部８への小切手４の排出が終了したか否かを監視し、小切手４の排出が終了した場合（ステップＳＡ２１：ＹＥＳ）、小切手搬送機構３０の駆動を停止する（ステップＳＡ２２）。
【００４０】
以上説明したように、本実施形態によれば、表面側コンタクトイメージスキャナー５２及び裏面側コンタクトイメージスキャナー５３によって読み取られた両面の画像のそれぞれについて、ホスト側制御部７３は、磁気ヘッド５４の検出信号に基づいて、搬送路５を搬送される小切手４の表裏の向き、すなわち、小切手４が正状態か逆状態かを検出し、検出結果に基づいて、表面側コンタクトイメージスキャナー５２及び裏面側コンタクトイメージスキャナー５３のそれぞれによって読み取られた両面の画像を表面の画像として記憶するか、裏面の画像として記憶するか判別した上で、これら画像を記憶する。具体的には、正状態の場合、すなわち、表面側コンタクトイメージスキャナー５２によって小切手４の表面４ａが読み取られ、かつ、裏面側コンタクトイメージスキャナー５３によって小切手４の裏面４ｂが読み取られる場合、表面側コンタクトイメージスキャナー５２によって読み取られた画像に係る画像データを小切手画像データベース８２の表面画像フィールド８２ｃに記憶すると共に、裏面側コンタクトイメージスキャナー５３によって読み取られた画像に係る画像データを裏面画像フィールド８２ｄに記憶する。また、逆状態の場合、すなわち、表面側コンタクトイメージスキャナー５２によって小切手４の裏面４ｂが読み取られ、かつ、裏面側コンタクトイメージスキャナー５３によって小切手４の表面４ａが読み取られる場合、裏面側コンタクトイメージスキャナー５３によって読み取られた画像に係る画像データを小切手画像データベース８２の表面画像フィールド８２ｃに記憶すると共に、表面側コンタクトイメージスキャナー５２によって読み取られた画像に係る画像データを裏面画像フィールド８２ｄに記憶する。
これによれば、小切手４の両面の画像に係る画像データのそれぞれを、搬送される小切手４の表裏の向き、すなわち、正状態か逆状態かに応じて、表面、又は、裏面のいずれかとして正しく記憶することができる。より具体的には、搬送路５を搬送される小切手４が正状態であっても逆状態であっても、小切手４の表面４ａの表面画像の画像データを表面画像フィールド８２ｃに記憶し、かつ、裏面４ｂの裏面画像の画像データを裏面画像フィールド８２ｄに記憶することができる。
さらに、本実施形態によれば、小切手４が逆状態で搬送路５を搬送された場合であっても、磁気インク文字の読み取りが成功する限りにおいて、小切手４の両面の画像のそれぞれを、表面、又は、裏面のいずれかとして正しく記憶するために、再度、小切手読取装置１によって小切手４の両面の画像を読み取る必要が無くなる。従って、小切手読取装置１の処理効率の向上を図ることができる。
【００４１】
また、本実施形態では、ホスト側制御部７３の正逆判別部８３は、磁気ヘッド５４の検出信号の波形に基づいて、搬送路５を搬送される小切手４が正状態か、逆状態かを判別する。
これによれば、搬送路５を搬送される小切手４が正状態か、逆状態かによって、磁気ヘッド５４に検出される信号の形態が異なることを利用して、パターン照合を利用して、効率よく、小切手４が正状態か逆状態かを判別することができる。
【００４２】
また、本実施形態では、ホスト側制御部７３は、逆状態において、表面側コンタクトイメージスキャナー５２及び裏面側コンタクトイメージスキャナー５３によって読み取られた画像の画像データのそれぞれについて、正状態で読み取られた場合と同様の状態となるように反転させた上で、小切手画像データベース８２の所定のフィールドに記憶する。これにより、それぞれの画像について、正状態で読み取られた場合と同様の状態で記憶されることとなり、これら画像データに基づいて、表示器７３ａに画像を表示する際に、正状態で読み取られた場合と比較して左右反転している状態で画像が表示されることを防止できる。
【００４３】
また、本実施形態では、磁気インク文字の読み取りが成功した場合にのみ、小切手４の両面の画像の画像データのそれぞれが記憶される。
これによれば、磁気インク文字の読み取りが失敗した小切手４について、画像データが記録されることを防止できる。
【００４４】
また、本実施形態では、磁気ヘッド５４の検出信号に基づいて、小切手４が正状態か逆状態かを検出し、検出結果に応じて、小切手４において画像が記録される位置を変更する。具体的には、本実施形態に係る小切手読取装置１は、正状態用記録装置５６と、逆状態用記録装置５７とを備え、搬送路５を搬送される小切手４が正状態の場合は、小切手４の裏面４ｂに画像の記録を可能な正状態用記録装置５６を用いて、小切手４の裏面４ｂに画像を記録し、逆状態の場合は、小切手４の裏面４ｂに画像の記録を可能な逆状態用記録装置５７を用いて、小切手４の裏面４ｂに画像を記録する。
このため、小切手４が正状態か逆状態かにかかわらず、小切手４の裏面４ｂに確実に所定の画像を記録することができる。
【００４５】
なお、上述した実施の形態は、あくまでも本発明の一態様を示すものであり、本発明の範囲内で任意に変形及び応用が可能である。
例えば、上述した実施形態では、小切手４が逆状態の場合、裏文字認識部７７により磁気インク文字の認識を行っていた。しかしながら、小切手４が逆状態の場合、表面側コンタクトイメージスキャナー５２によって読み取られた裏面４ｂの裏面画像の画像データに対してＯＣＲ等の光学文字認識を行うことにより、磁気インク文字列４Ａの各文字の認識を行うようにしてもよい。また、裏文字認識部７７によって認識した文字と、光学文字認識によって認識した文字とを突き合わせ上で、磁気インク文字の認識を行うようにしてもよい。これによれば、例えば、小切手４が厚いシートであり、逆状態における磁気ヘッド５４の検出信号の信頼性が高くない場合であっても、光学文字認識を利用して、高い信頼性を持って磁気インク文字の認識を実行することができる。
【符号の説明】
【００４６】
１…小切手読取装置（記録媒体処理装置）、４…小切手、４Ａ…磁気インク文字列、４ａ…表面、４ｂ…裏面、５…搬送路、５２…表面側コンタクトイメージスキャナー（画像読取部）、５３…裏面側コンタクトイメージスキャナー（画像読取部）、５４…磁気ヘッド（磁気インク文字読取部）、５６…正状態用記録装置（画像記録部）、５７…逆状態用記録装置（画像記録部）、７０…ホストコンピューター（制御装置）、７３…ホスト側制御部（画像記憶部、記憶画像判別部）。
【図１】
2011034168.tif 000003
【図２】
2011034168.tif 000004
【図３】
2011034168.tif 000005
【図４】
2011034168.tif 000006
【図５】
2011034168.tif 000007
【図６】
2011034168.tif 000008
【図７】
2011034168.tif 000009